(57)【要約】【課題】ファン風を効率よくコイルに当て、コイルの温度上昇を抑制しモータの回転性能を向上させる電動工具及び携帯用切断機を提供する。【解決手段】第１メインコイルとスイッチとを接続する第１リードワイヤ３０と、スイッチと第１ブラシとを接続する第２リードワイヤ３１と、第１ブレーキコイルとスイッチとを接続する第３リードワイヤ３２とは、突出部２２Ａ１、２３Ａ１からずれた位置である第４空気通路２ｆにおいて第２接続部２１Ｄの外周に沿って配列されている。【選択図】図４（ｃ）
2005205561.tif 000002
【特許請求の範囲】
【請求項１】
ハウジングと、
該ハウジング内に収容固定され、第１コイル巻回部と、該第１コイル巻回部と対向する第２コイル巻回部とを少なくとも備え、中空部が形成された固定子と、
該第１コイル巻回部に巻回される第１メインコイルと、
該第２コイル巻回部に巻回され、該第１メインコイルと対向する第２メインコイルと、
該中空部であって、該第１メインコイルと該第２メインコイルとの間に回転可能に配置される回転子と、
電流を該第１メインコイルおよび該第２メインコイルに供給するための運転スイッチと、
該回転子に電流を供給するためのブラシと、
該第１メインコイルと該運転スイッチとを接続する第１リードワイヤと、
該運転スイッチと該ブラシとを接続する第２リードワイヤとを備え、
該第１メインコイル及び該第２メインコイルは、該回転子の軸方向に沿う軸方向巻線部と、該固定子の軸方向端部から外方に突出すると共に略円弧状の円周方向巻線部とを有し、
少なくとも該第１メインコイル及び該第２メインコイルの円周方向巻線部は、該第１コイル巻回部及び該第２コイル巻回部の少なくとも一部の外縁よりも該回転子の半径方向外方に突出する突出部を有する電動工具において、
該第１リードワイヤと該第２リードワイヤとは、該それぞれの突出部からずれた位置において該回転子の軸方向に延びて配列されていることを特徴とする電動工具。
【請求項２】
該第１コイル巻回部に巻回される第１ブレーキコイルと、
該第２コイル巻回部に巻回され、該第１ブレーキコイルに対向する第２ブレーキコイルと、
該第１ブレーキコイルと該運転スイッチとを接続する第３リードワイヤとを更に備え、
該第１ブレーキコイル及び該第２ブレーキコイルは、該回転子の軸方向に沿う軸方向巻線部と、該固定子の軸方向端部から外方に突出すると共に略円弧状の円周方向巻線部とを有し、
少なくとも該第１ブレーキコイル及び該第２ブレーキコイルの円周方向巻線部は、該第１コイル巻回部及び該第２コイル巻回部の少なくとも一部の外縁よりも該回転子の半径方向外方に突出する突出部を有し、
該第３リードワイヤは、該突出部からずれた位置において該回転子の軸方向に延びて配列されていることを特徴とする請求項１に記載の電動工具。
【請求項３】
該ハウジングの内周面の少なくとも３箇所には、該固定子を固定支持するためのリブが、該ハウジングの内方に向かって突設されていることを特徴とする請求項１または２のいずれかに記載の電動工具。
【請求項４】
該第３リードワイヤは、該円周方向巻線部の最外周部を該ハウジング側に超えないように配列される部分を有することを特徴とする請求項２に記載の電動工具。
【請求項５】
該第１メインコイルと該第２メインコイルとを接続する第４リードワイヤと、
該第１ブレーキコイルと該第２ブレーキコイルとを接続する第５リードワイヤと、を更に有し、
該固定子は、該第１コイル巻回部の一端と該第２コイル巻回部の一端とをつなぐ第１接続部と、該第１コイル巻回部の他端と該第２コイル巻回部の他端とをつなぐ第２接続部から構成され、
該第１リードワイヤは該第１メインコイルに該第１接続部側において接続され、該第３リードワイヤと該第５リードワイヤとは該第１ブレーキコイルに該第１接続部側において接続され、該第４リードワイヤは該第１メインコイルに該第２接続部側において接続されることを特徴とする請求項２または４のいずれかに記載の電動工具。
【請求項６】
該第１メインコイルと該第２メインコイルとを接続する第４リードワイヤと、
該第１ブレーキコイルと該第２ブレーキコイルとを接続する第５リードワイヤと、を更に有し、
該固定子は、該第１コイル巻回部の一端と該第２コイル巻回部の一端とをつなぐ第１接続部と、該第１コイル巻回部の他端と該第２コイル巻回部の他端とをつなぐ第２接続部から構成され、
該第１リードワイヤと該第４リードワイヤとは該第１メインコイルに該第１接続部側において接続され、該第３リードワイヤは該第１ブレーキコイルに該第１接続部側において接続され、該第５リードワイヤは該第１ブレーキコイルに該第２接続部側において接続されることを特徴とする請求項２または４のいずれかに記載の電動工具。
【請求項７】
空気を吸入するための空気吸入口が形成されたハウジングと、
該ハウジング内に収容固定され、第１コイル巻回部と、該第１コイル巻回部と対向する第２コイル巻回部とを少なくとも備え、中空部が形成された固定子と、
該第１コイル巻回部に巻回される第１メインコイルと、
該第２コイル巻回部に巻回され、該第１メインコイルと対向する第２メインコイルと、
該中空部であって、該第１メインコイルと該第２メインコイルとの間に回転可能に配置される回転子と、
電流を該第１メインコイルおよび該第２メインコイルに供給するための運転スイッチと、
該回転子に電流を供給するためのブラシと、
該第１メインコイルと該運転スイッチとを接続する第１リードワイヤと、
該運転スイッチと該ブラシとを接続する第２リードワイヤと、
該回転子の回転力によって回転駆動される鋸刃と、  
該回転子の回転力によって回転駆動され、該空気吸入口から流入する空気により該第１メインコイルと該第２メインコイルを冷却するために該ハウジング内に設けられるファンとを備え、
該第１メインコイル及び該第２メインコイルは、該回転子の軸方向に沿う軸方向巻線部と、該固定子の軸方向端部から外方に突出すると共に略円弧状の円周方向巻線部とを有し、
少なくとも該第１メインコイル及び該第２メインコイルの円周方向巻線部は、該第１コイル巻回部及び該第２コイル巻回部の少なくとも一部の外縁よりも該回転子の半径方向外方に突出する突出部と、
該円周方向巻線部と該鋸刃との間に設けられ、該運転スイッチを有するハンドルとを備える携帯用切断機において、
該第１リードワイヤと該第２リードワイヤとは、該それぞれの突出部からずれた位置において該回転子の軸方向に延びて配列されていることを特徴とする携帯用切断機。
【発明の詳細な説明】
【技術分野】
【０００１】
本発明は電動工具に関し、特にモータに接続されたリードワイヤを有する電動工具に関する。
【背景技術】
【０００２】
従来の電動工具について、図８に基づき説明する。図８は従来の電動工具４０１の断面図である。電動工具４０１は、モータ４２０を内部に支持収納し、紙面に垂直方向に延びるハウジング４０２と、モータ４２０を選択的に動作させる図示せぬスイッチを有している。ハウジング４０２は、円弧状の第１壁部４０２Ａと、第１壁部４０２Ａと対向する円弧状の第２壁部４０２Ｂと、第１壁部４０２Ａの一端と第２壁部４０２Ｂの一端とをつなぐ第３壁部４０２Ｃと、第１壁部４０２Ａの他端と第２壁部４０２Ｂの他端とをつなぐ第４壁部４０２Ｄとを有している。更に、第３壁部４０２Ｃの両端と第１壁部４０２Ａおよび第２壁部４０２Ｂとの境界付近と、第４壁部４０２Ｄの両端と第１壁部４０２Ａおよび第２壁部２Ｂとの境界付近との４箇所には、固定子４２１を固定保持するためのリブ４０２Ｅがハウジング４０２の内方に向かって突設されている。
【０００３】
モータ４２０は、固定子４２１と、第１コイル４２２と、第２コイル４２３と、紙面に対して垂直方向に延びる軸心を有する回転子４２４と、図示せぬ整流子と、図示せぬブラシとを有している。固定子４２１は、回転子４２４を遊挿するための中空部４２１ａが形成され、回転子４２４の軸方向に沿って紙面に垂直方向下側に延びている。また固定子４２１は、第１壁部４０２Ａと対向する第１コイル巻回部４２１Ａと、第２壁部４０２Ｂと対向する第２コイル巻回部４２１Ｂと、第１コイル巻回部４２１Ａの一端と第２コイル巻回部４２１Ｂの一端とをつなぎ第３壁部４０２Ｃに対向する第１接続部４２１Ｃと、第１コイル巻回部４２１Ａの他端と第２コイル巻回部４２１Ｂの他端とをつなぎ第４壁部４０２Ｄに対向する第２接続部４２１Ｄとから構成されている。
【０００４】
そして、第１壁部４０２Ａ、第１コイル巻回部４２１Ａ、リブ４０２Ｅにより第１空気通路４０２ｃが、第２壁部４０２Ｂ、第２コイル巻回部４２１Ｂ、リブ４０２Ｅにより第２空気通路４０２ｄがそれぞれ画成されている。
【０００５】
第１コイル巻回部４２１Ａに巻回される第１コイル４２２は、第１メインコイルと第１ブレーキコイルとを備えている。また、第２コイル巻回部４２１Ｂに巻回される第２コイル４２３は、第２メインコイルと第２ブレーキコイルとを備えている。第１、第２コイルは、固定子４２１の軸方向両端部から外方に突出すると共に回転子４２４の円周方向に沿う略円弧状の第１、第２円周方向コイル部４２２Ａ、４２３Ａと、固定子４２１の内周面を回転子４２４の軸方向に沿って延びる図示せぬ第１、第２軸方向コイル部とから構成される。そして、第１円周方向コイル部４２２Ａと第１軸方向コイル部とで略四角形状に第１コイル巻回部４２１Ａを周回し、第２円周方向コイル部４２３Ａと第２軸方向コイル部とで略四角形状に第２コイル巻回部４２１Ｂを周回している。また、第１、第２円周方向コイル部４２２Ａ、４２３Ａは、第１コイル巻回部４２１Ａ及び第２コイル巻回部４２１Ｂの最外周部よりもハウジング４０２方向に突出する突出部４２２Ａ１、４２３Ａ１を有している。また、回転子４２４は、中空部４２１ａに遊挿されており、回転子４２４と同軸的に固定された出力軸４２６を有し、出力軸４２６の紙面に垂直方向下側の端部には、図示せぬファンが固定されている。更に回転子４２４の紙面に垂直方向上側には、図示せぬ整流子が設けられており、図示せぬブラシは整流子に接するように配置されている。
【０００６】
図８に示すように第１コイル４２２の第１メインコイルと図示せぬスイッチとを接続する第１リードワイヤ４３０が設けられている。第１リードワイヤ４３０は、第１メインコイルの第２接続部４２１Ｄ側から突出部４２２Ａ１に延び、次に第１空気通路４０２ｃにおいて第１コイル巻回部４２１Ａの外周に沿って他方の第１コイル巻回部４２１Ａへ延びスイッチに接続している。
【０００７】
また、図示せぬスイッチと図示せぬブラシとを接続する第２リードワイヤ４３１が設けられている。第２リードワイヤ４３１は、図示せぬブラシから第１円周方向コイル部４２２Ａへ延び、次に第１円周方向コイル部４２２Ａの円周方向に沿って突出部４２２Ａ１まで延び、次に第１空気通路４０２ｃにおいて第１コイル巻回部４２１Ａの外周に沿って他方の第１コイル巻回部４２１Ａへ延び図示せぬスイッチに接続している。
【０００８】
更に、第１コイル４２２の第１ブレーキコイルと図示せぬスイッチとを接続する第３リードワイヤ４３２が設けられている。第３リードワイヤ４３２は、第１ブレーキコイルの第１接続部４２１Ｃ側から突出部４２２Ａ１に延び、次に第１空気通路４０２ｃにおいて第１コイル巻回部４２１Ａの外周に沿って他方の第１コイル巻回部４２１Ａへ延び図示せぬスイッチに接続している。
【０００９】
そして、スイッチをＯＮにして、回転子４２４を回転させ出力軸４２６が回転することによって図示せぬファンも回転する。そのファンが回転すると、ハウジング４０２に設けられた図示せぬ空気吸入口よりハウジング４０２内部に空気（ファン風）が流入し、そのファン風は第１空気通路４０２ｃおよび第２空気通路４０２ｄを通り、電流が流れることにより熱を発生する第１コイル４２２および第２コイル４２３は冷却される。
【発明の開示】
【発明が解決しようとする課題】
【００１０】
しかし、従来の電動工具では、ファン風の通路である突出部４２２Ａ１及び第１空気通路４０２ｃに第１〜３リードワイヤ４３０、４３１、４３２を配列させていたために、第１円周方向コイル部４２２Ａにおける放熱面積が少なく、また第１空気通路４０２ｃを狭めていた。このため、放熱部であり最も冷却効果が期待される固定子４２１の軸方向両端部の第１円周方向コイル部４２２Ａにファン風があまり当たらず、第１コイル４２２の温度が高くなり、第１コイルの温度上昇により固定子４２１も温度上昇し、このため電動工具４０１の寿命が短かくなるという問題があった。
【００１１】
そこで本発明は、ファン風を効率よくコイルに当て、コイルの温度上昇を抑制し、長寿命な電動工具を提供することを目的とする。
【課題を解決するための手段】
【００１２】
上記目的を達成するために、本発明は、ハウジングと、該ハウジング内に収容固定され、第１コイル巻回部と、該第１コイル巻回部と対向する第２コイル巻回部とを少なくとも備え、中空部が形成された固定子と、該第１コイル巻回部に巻回される第１メインコイルと、該第２コイル巻回部に巻回され、該第１メインコイルと対向する第２メインコイルと、該中空部であって、該第１メインコイルと該第２メインコイルとの間に回転可能に配置される回転子と、電流を該第１メインコイルおよび該第２メインコイルに供給するための運転スイッチと、該回転子に電流を供給するためのブラシと、該第１メインコイルと該運転スイッチとを接続する第１リードワイヤと、該運転スイッチと該ブラシとを接続する第２リードワイヤとを備え、該第１メインコイル及び該第２メインコイルは、該回転子の軸方向に沿う軸方向巻線部と、該固定子の軸方向端部から外方に突出すると共に略円弧状の円周方向巻線部とを有し、少なくとも該第１メインコイル及び該第２メインコイルの円周方向巻線部は、該第１コイル巻回部及び該第２コイル巻回部の少なくとも一部の外縁よりも該回転子の半径方向外方に突出する突出部を有する電動工具において、該第１リードワイヤと該第２リードワイヤとは、該それぞれの突出部からずれた位置において該回転子の軸方向に延びて配列されていることを特徴とする電動工具を提供している。
【００１３】
更に、該第１コイル巻回部に巻回される第１ブレーキコイルと、該第２コイル巻回部に巻回され、該第１ブレーキコイルに対向する第２ブレーキコイルと、該第１ブレーキコイルと該運転スイッチとを接続する第３リードワイヤとを更に備え、該第１ブレーキコイル及び該第２ブレーキコイルは、該回転子の軸方向に沿う軸方向巻線部と、該固定子の軸方向端部から外方に突出すると共に略円弧状の円周方向巻線部とを有し、少なくとも該第１ブレーキコイル及び該第２ブレーキコイルの円周方向巻線部のは、該第１コイル巻回部及び該第２コイル巻回部の少なくとも一部の外縁よりも該回転子の半径方向外方に突出する突出部を有し、該第３リードワイヤは、該突出部からずれた位置において該回転子の軸方向に延びて配列されていることを特徴とする電動工具を提供している。
【００１４】
また、該ハウジングの内周面の少なくとも３箇所には、該固定子を固定支持するためのリブが、該ハウジングの内方に向かって突設されていることが好ましい。
【００１５】
更に、該第３リードワイヤは、該円周方向巻線部の最外周部を該ハウジング側に超えないように配列される部分を有することが好ましい。
【００１６】
また、該第１メインコイルと該第２メインコイルとを接続する第４リードワイヤと、該第１ブレーキコイルと該第２ブレーキコイルとを接続する第５リードワイヤと、を更に有し、該固定子は、該第１コイル巻回部の一端と該第２コイル巻回部の一端とをつなぐ第１接続部と、該第１コイル巻回部の他端と該第２コイル巻回部の他端とをつなぐ第２接続部から構成され、該第１リードワイヤは該第１メインコイルに該第１接続部側において接続され、該第３リードワイヤと該第５リードワイヤとは該第１ブレーキコイルに該第１接続部側において接続され、該第４リードワイヤは該第１メインコイルに該第２接続部側において接続されることが好ましい。
【００１７】
また、該第１メインコイルと該第２メインコイルとを接続する第４リードワイヤと、  該第１ブレーキコイルと該第２ブレーキコイルとを接続する第５リードワイヤと、を更に有し、該固定子は、該第１コイル巻回部の一端と該第２コイル巻回部の一端とをつなぐ第１接続部と、該第１コイル巻回部の他端と該第２コイル巻回部の他端とをつなぐ第２接続部から構成され、該第１リードワイヤと該第４リードワイヤとは該第１メインコイルに該第１接続部側において接続され、該第３リードワイヤは該第１ブレーキコイルに該第１接続部側において接続され、該第５リードワイヤは該第１ブレーキコイルに該第２接続部側において接続されることが好ましい。
【００１８】
また、本発明は空気を吸入するための空気吸入口が形成されたハウジングと、該ハウジング内に収容固定され、第１コイル巻回部と、該第１コイル巻回部と対向する第２コイル巻回部とを少なくとも備え、中空部が形成された固定子と、該第１コイル巻回部に巻回される第１メインコイルと、該第２コイル巻回部に巻回され、該第１メインコイルと対向する第２メインコイルと、該中空部であって、該第１メインコイルと該第２メインコイルとの間に回転可能に配置される回転子と、電流を該第１メインコイルおよび該第２メインコイルに供給するための運転スイッチと、該回転子に電流を供給するためのブラシと、該第１メインコイルと該運転スイッチとを接続する第１リードワイヤと、該運転スイッチと該ブラシとを接続する第２リードワイヤと、該回転子の回転力によって回転駆動される鋸刃と、該回転子の回転力によって回転駆動され、該空気吸入口から流入する空気により該第１メインコイルと該第２メインコイルを冷却するために該ハウジング内に設けられるファンと、を備え、該第１メインコイル及び該第２メインコイルは、該回転子の軸方向に沿う軸方向巻線部と、該固定子の軸方向端部から外方に突出すると共に略円弧状の円周方向巻線部とを有し、少なくとも該第１メインコイル及び該第２メインコイルの円周方向巻線部は、該第１コイル巻回部及び該第２コイル巻回部の少なくとも一部の外縁よりも該回転子の半径方向外方に突出する突出部と、該円周方向巻線部と該鋸刃との間に設けられ、該運転スイッチを有するハンドルとを備える携帯用切断機において、該第１リードワイヤと該第２リードワイヤとは、該それぞれの突出部からずれた位置において該回転子の軸方向に延びて配列されていることを特徴とする携帯用切断機を提供している。
【発明の効果】
【００１９】
請求項１の電動工具によれば、第１リードワイヤと第２リードワイヤとは、それぞれの突出部からずれた位置において回転子の軸方向に延びて配列されているので、回転子と共に回転するファンが固定子に近接している場合、ファンの回転により発生するファン風がハウジングと突出部との間の空間を通り易くなる。従って、放熱部であり最も冷却効果が期待される固定子の軸方向両端部の円周方向巻線部にファン風が当たりやすくなるので、ファン風による冷却効率が上昇し、第１メインコイルおよび第２メインコイルの温度上昇を抑制し、長寿命な電動工具を提供することができる。
【００２０】
請求項２の電動工具によれば、第３リードワイヤは、それぞれの突出部からずれた位置において回転子の軸方向に延びて配列されているので、回転子と共に回転するファンが固定子に近接している場合、ファンの回転により発生するファン風がハウジングと突出部との間の空間を通り易くなる。従って、放熱部であり最も冷却効果が期待される固定子の軸方向両端部の円周方向巻線部にファン風が当たりやすくなるので、ファン風による冷却効率が上昇し、第１、２メインコイルと第１、２ブレーキコイルとの温度上昇を抑制し、長寿命な電動工具を提供することができる。
【００２１】
請求項３の電動工具によれば、ハウジングの内周面の少なくとも３箇所には、固定子を固定支持するためのリブがハウジングの内方に向かって突設されているので、固定子を確実に保持し、固定子とハウジングとにより画成される通路を容易に形成することができる。
【００２２】
請求項４の電動工具によれば、第３リードワイヤは、円周方向巻線部の最外周部を該ハウジング側に超えないように配列される部分を有するので、回転子と共に回転するファンが固定子に近接している場合、ファンの回転により発生するファン風がハウジングと突出部との間の空間を通り易くなる。従って、放熱部であり最も冷却効果が期待される固定子の軸方向両端部の円周方向巻線部にファン風が当たりやすくなるので、ファン風による冷却効率が上昇し、第１、２メインコイルと第１、２ブレーキコイルとの温度上昇を抑制し、長寿命な電動工具を提供することができる。
【００２３】
請求項５の電動工具によれば、第１リードワイヤは第１メインコイルに第１接続部側において接続され、第３リードワイヤと第５リードワイヤとは第１ブレーキコイルに第１接続部側において接続され、第４リードワイヤは第１メインコイルに第２接続部側において接続されているので、回転子と共に回転するファンが固定子に近接している場合、円周方向巻線部に当たるファンの回転により発生するファン風の領域を増加させることができる。従って、放熱部であり最も冷却効果が期待される固定子の軸方向両端部の円周方向巻線部におけるファン風による冷却効率が上昇し、第１、２メインコイルと第１、２ブレーキコイルとの温度上昇を抑制し、長寿命な電動工具を提供することができる。
【００２４】
請求項６の携帯用切断機によれば、第１リードワイヤと第２リードワイヤとは、それぞれの突出部からずれた位置において回転子の軸方向に延びて配列されているので、回転子と共に回転するファンが固定子に近接している場合、ファンの回転により発生するファン風がハウジングと突出部との間の空間を通り易くなる。従って、放熱部であり最も冷却効果が期待される固定子の軸方向両端部の円周方向巻線部にファン風が当たりやすくなるので、ファン風による冷却効率が上昇し、第１メインコイルおよび第２メインコイルの温度上昇を抑制し、長寿命な電動工具を提供することができる。
【発明を実施するための最良の形態】
【００２５】
本発明の電動工具を携帯用切断機に適用した第１の実施の形態について図１乃至図４に基づき説明する。図１は携帯用切断機１の部分縦断面図である。図１、図２に示されるように携帯用切断機１は、モータ２０を内部に支持収納するハウジング２と、ハンドル３と、モータ２０により回転駆動される鋸刃４と、ソーカバー５と、ベース６と、ファン７とを主に備える。ハウジング２の一端側には、ハウジング２内部と外部とを連通させる空気吸入口２ａが形成されている。更にハウジング２には、ハンドル３の後述する中空部に連通する通路２ｂ（図２）が形成されている。ハンドル３は、図示せぬ中空部を有し、ハウジング２に一体もしくは別部材として連結して設けられ、モータ２０の駆動を制御するスイッチ３Ａ（図２）を備える。鋸刃４は、切断可能な方向（正転方向）にのみ回転可能に設けられている。ソーカバー５は、ハウジング２に取付けられて鋸刃４の外周の上側半分を覆う形状をなしている。ソーカバー５には、更に後述するファン風を排出するためのファン風排出口５ａが形成されている。ベース６は、ソーカバー５を介してハウジング２と連結され、被切断材上を摺動可能な底面６ａを有し、鋸刃４を底面６ａより下方に突出させる図示せぬ開口部が形成されている。回転によりファン風を発生させ第１コイル２２および第２コイル２３を冷却するためのファン７は、後述する出力軸２６に固定して設けられている。
【００２６】
出力軸２６の一端側にはピニオンギア８が設けられている。出力軸２６およびピニオンギア８は、ハウジング２の空気吸入口２ａ側端部およびソーカバー５に設けられた第１軸受９、１０によって回転可能に支承されている。ソーカバー５内には出力軸２６と平行に延びる駆動軸１１が、第２軸受１２、１３により回転可能に支承されている。駆動軸１１のハウジング２側にはピニオンギア８と噛合するギア１４が、駆動軸１１と同軸に固定されている。駆動軸１１には、一対の鋸刃固定部材１５が駆動軸１１に対して回転不能に取付けられている。そして、鋸刃４は一対の鋸刃固定部材１５間に挟持固定されている。
【００２７】
携帯用切断機１には、ソーカバー５内において駆動軸１１の軸心を中心に回動可能に保持され、ソーカバー５内に収納可能で、鋸刃４外周のほぼ半分を覆う形状をしたセーフティーカバー１６が設けられている。セーフティーカバー１６には、手動回動操作用のレバー１６ａが取付けられている。セーフティーカバー１６は図示しないスプリング等の付勢手段によって付勢されており、図１に示すように大部分がベース６の底面６ａよりも下方に突出し鋸刃４外周が露出するのを防止する回動位置が初期状態となっている。切断作業時には、セーフティーカバー１６の切断方向前方側端部（図１の紙面に垂直方向手前側）が被切断材の端部に当接し、その状態で携帯用切断機１が切断方向に摺動することによってスプリングに抗してセーフティーカバー１６はソーカバー５内に収納されるように駆動軸１１の軸心を中心に回動し、ベース６の底面６ａ側において鋸刃４が露出する。被切断材の端面と連続しない切断加工を行う窓抜き作業等の場合には、作業者がレバー１６ａを操作することによってセーフティーカバー１６を回動させ、ベース６の底面６ａ側において鋸刃４を露出させることができる。
【００２８】
次に図３および４に基づきモータ２０およびその周辺部について説明する。図３は、図１に示した携帯用切断機１を上面から見たときの一部を切欠いた図である。図４（ａ）は、図１のIａ−Iａ線に沿った断面図であり、図４（ｂ）は、図１のIｂ−Iｂ線に沿った断面図であり、図４（ｃ）は、図１のIｃ−Iｃ線に沿った断面図である。
【００２９】
図３および図４に示すようにモータ２０は、固定子２１と、第１コイル２２と、第２コイル２３（図１）と、回転子２４と、整流子２４Ａと、第１ブラシ２５とを有している。
【００３０】
図４（ｂ）に示すようにハウジング２は、円弧状の第１壁部２Ａと、第１壁部２Ａと対向する円弧状の第２壁部２Ｂと、第１壁部２Ａの一端と第２壁部２Ｂの一端とをつなぐ第３壁部２Ｃと、第１壁部２Ａの他端と第２壁部２Ｂの他端とをつなぐ第４壁部２Ｄとを有している。更に、第３壁部２Ｃの両端と第１壁部２Ａおよび第２壁部２Ｂとの境界付近と、第４壁部２Ｄの両端と第１壁部２Ａおよび第２壁部２Ｂとの境界付近との４箇所には、固定子２１を固定保持するためのリブ２Ｅがハウジング２の内方に向かって突設されている。
【００３１】
固定子２１は、図４（ｂ）に示すようにリブ２Ｅによって確実にハウジング内に保持され、回転子２４を遊挿するための中空部２１ａが形成され、回転子２４の軸方向に延びている。また固定子２１は、第１壁部２Ａと対向する第１コイル巻回部２１Ａと、第２壁部２Ｂと対向する第２コイル巻回部２１Ｂと、第１コイル巻回部２１Ａの一端と第２コイル巻回部２１Ｂの一端とをつなぎ第３壁部２Ｃに対向する第１接続部２１Ｃと、第１コイル巻回部２１Ａの他端と第２コイル巻回部２１Ｂの他端とをつなぎ第４壁部２Ｄに対向する第２接続部２１Ｄとから構成されている。
【００３２】
そして、第１壁部２Ａ、第１コイル巻回部２１Ａ、リブ２Ｅにより第１空気通路２ｃが、第２壁部２Ｂ、第２コイル巻回部２１Ｂ、リブ２Ｅにより第２空気通路２ｄが、第３壁部２Ｃ、第１接続部２１Ｃ、リブ２Ｅにより第３空気通路２ｅが、第４壁部２Ｄ、第２接続部２１Ｄ、リブ２Ｅにより第４空気通路２ｆがそれぞれ画成されている。リブ２Ｅがハウジング２の内方に向かって突設されていることにより、容易に各通路を画成することができる。
【００３３】
また第１コイル巻回部２１Ａの外周部の一部は、内周に向かってくぼむように湾曲している。第１コイル巻回部２１Ａの内周部には、後述する第１固定子スロット２１ｂの一部を構成する回転子保持片２１Ａ１が、回転子２４の外周に沿うように、第１接続部２１Ｃ側および第２接続部２１Ｄ側両側方向に突設されている。また、第１コイル２２を保持するための第１固定子スロット２１ｂは、第１接続部２１Ｃ側の回転子保持片２１Ａ１および第１接続部２１Ｃと、第２接続部２１Ｄ側の回転子保持片２１Ａ１および第２接続部２１Ｄとにより規定されている。
【００３４】
第２コイル巻回部２１Ｂは、第１コイル巻回部２１Ａと同様の形状をしており、回転子保持片２１Ａ１に相当する回転子保持片２１Ｂ１が設けられている。更に第２コイル巻回部２１Ｂには、第１コイル巻回部２１Ａの第１固定子スロット２１ｂに相当し、第２コイル２３を保持するための第２固定子スロット２１ｃが規定されている。また、第１接続部２１Ｃおよび第２接続部２１Ｄは円弧状であり、第１コイル２２及び第２コイル２３が対向する方向の略中央には、固定子２１をハウジング２に固定するためのボルト２７（図４（ａ））を嵌挿するための嵌挿穴２１ｄが形成されている。そして、ボルト２７をハウジング２に形成されたボルト螺合穴２ｇ（図４（ｃ））に螺合することによって、固定子２１はハウジング２に固定される。
【００３５】
第１コイル巻回部２１Ａに巻回され第１固定子スロット２１ｂに保持される第１コイル２２は、第１メインコイルと第１ブレーキコイルとを備えている。また、第２コイル巻回部２１Ｂに巻回され第２固定子スロット２１ｃに保持される第２コイル２３は、第２メインコイルと第２ブレーキコイルとを備えている。第１、第２メインコイルは、鋸刃４を正転方向に回転させるために用いられ、第１、第２ブレーキコイルは、鋸刃４の回転を停止させるために用いられる。第１、第２コイル２２、２３は、固定子２１の軸方向端部から外方に突出すると共に回転子２４の円周方向に沿う略円弧状の第１、第２円周方向コイル部２２Ａ、２３Ａ（図４（ａ））と、固定子２１の内周面を回転子２４の軸方向に沿って延びる第１、第２軸方向コイル部２２Ｂ、２３Ｂとから構成される。そして、第１円周方向コイル部２２Ａと第１軸方向コイル部２２Ｂとで略四角形状に第１コイル巻回部２１Ａを周回し、第２円周方向コイル部２３Ａと第２軸方向コイル部２３Ｂとで略四角形状に第２コイル巻回部２１Ｂを周回している。また、第１、第２円周方向コイル部２２Ａ、２３Ａは、第１コイル巻回部２１Ａ及び第２コイル巻回部２１Ｂの湾曲している部分よりもハウジング２方向に突出する突出部２２Ａ１、２３Ａ１（図４（ｃ））を有している。
【００３６】
回転子２４は中空部２１ａに遊挿されており、回転子２４には、出力軸２６を回転子２４と同軸に嵌合するための嵌合穴２４ａが形成されている。回転子２４には、更に複数のコイル嵌挿穴２４ｂが形成されており、各コイル嵌挿穴２４ｂには、回転子２４の軸方向に沿って電流を流すためのコイル２４Ｂが嵌挿されている。本実施の形態においては、コイル２４Ｂは６組設けられており、整流子２４Ａは所定の回転位置に来たコイル２４Ｂに所定方向の電流を流すために、回転子２４の空気吸入口２ａ側端部に設けられている。整流子２４Ａに電流を供給するための第１ブラシ２５は、整流子２４Ａの第２接続部２１Ｄ側で整流子２４Ａに接するように設けられており、整流子２４Ａの第１接続部２１Ｃ側には、図示せぬ第２ブラシが整流子２４Ａに接するように設けられている。
【００３７】
図４（ｃ）に示すように第１コイル２２の第１メインコイルとスイッチ３Ａとを接続する第１リードワイヤ３０が設けられている。第１リードワイヤ３０は、第１メインコイルの第２接続部２１Ｄ側の第１軸方向コイル部２２Ｂ（図４（ｂ））における回転子２４の軸方向の略中央から空気吸入口２ａ（図１）側に延び、次に第１円周方向コイル部２２Ａから第２接続部２１Ｄの方に延び、次に第４空気通路２ｆにおいて第２接続部２１Ｄの外周に沿って通路２ｂ（図２）へ延び、次に通路２ｂを通ってスイッチ３Ａに接続している。
【００３８】
また、スイッチ３Ａと第１ブラシ２５とを接続する第２リードワイヤ３１が設けられている。第２リードワイヤ３１は、第１ブラシ２５から第１円周方向コイル部２２Ａへ延び、次に第１円周方向コイル部２２Ａの円周方向に沿って後述する第１束線バンド３４Ａまで延び、次に第１束線バンド３４Ａを巻込むように第２接続部２１Ｄ側に反転し、次に第４空気通路２ｆにおいて第２接続部２１Ｄの外周に沿って通路２ｂへ延び、次に通路２ｂを通ってスイッチ３Ａに接続している。
【００３９】
更に、第１コイル２２の第１ブレーキコイルとスイッチ３Ａとを接続する第３リードワイヤ３２が設けられている。第３リードワイヤ３２は、第１ブレーキコイルの第１接続部２１Ｃ側の第１軸方向コイル部２２Ｂ（図４（ｂ））における回転子２４の軸方向の略中央から整流子２４Ａ側に延び、次に第１円周方向コイル部２２Ａに沿って第１円周方向コイル部２２Ａの最外周部を第１空気通路２ｃ側に超えないように第２接続部２１Ｄ側に延び、次に第４空気通路２ｆにおいて第２接続部２１Ｄの外周に沿って通路２ｂへ延び、次に通路２ｂを通ってスイッチ３Ａに接続している。また、第３リードワイヤ３２は、第１接続部２１Ｃ側において第２束線バンド３４Ｂにより第１コイル２２に固定されている。
【００４０】
第１ブレーキコイルと第２コイル２３の第２ブレーキコイルとを接続する第４リードワイヤ３３が設けられている。第４リードワイヤ３３は、第２ブレーキコイルの第２接続部２１Ｄ側の第２軸方向コイル部２３Ｂ（図４（ｂ））における回転子２４の軸方向の略中央から整流子２４Ａ側に延び、次に第１ブレーキコイルの第２接続部２１Ｄ側に延び、次に第１円周方向コイル部２２Ａにおいて第１接続端子３５Ａを用いて第１ブレーキコイルに接続されている。そして、第３リードワイヤ３２および第４リードワイヤ３３は、第１円周方向コイル部２２Ａの第２接続部２１Ｄ側において前述の第１束線バンド３４Ａにより、第１コイル２２に固定されている。
【００４１】
また、第１メインコイルと第２コイル２３の第２メインコイルとを接続する第５リードワイヤ３６が設けられている。第５リードワイヤ３６は、第１メインコイルの第１接続部２１Ｃ側の第１軸方向コイル部２２Ｂ（図４（ｂ））における回転子２４の軸方向の略中央から整流子２４Ａ側に延び、次に第２メインコイルの第１接続部２１Ｃ側に延び、次に第２円周方向コイル部２３Ａにおいて第１接続端子３５Ｂを用いて第２メインコイルに接続されている。そして、第５リードワイヤ３６は、第２コイル２３の第１接続部２１Ｃ側において第３束線バンド３４Ｃにより第２コイル２３に固定されている。
【００４２】
更に、第２メインコイルと図示せぬ第２ブラシおよび第２ブレーキコイルと図示せぬ第２ブラシとを接続する第６リードワイヤ３７が設けられている。第６リードワイヤ３７は、第２メインコイルおよび第２ブレーキコイルの第１接続部２１Ｃ側の第１、第２軸方向コイル部２２Ｂ、２３Ｂ（図４（ｂ））における回転子２４の軸方向の略中央から一束のワイヤとなって整流子２４Ａ側に延び第２ブラシと接続している。
【００４３】
スイッチ３ＡをＯＮすることによって、図示せぬ電源から第２リードワイヤ３１、第１ブラシ２５、整流子２４Ａを介してコイル２４Ｂに電流が流れる。そして、整流子２４Ａ、第２ブラシ、第６リードワイヤ３７を介して第２メインコイルに、更に第４リードワイヤ３６を介して第１メインコイルに電流が流れる。第１メインコイルおよび第２メインコイルに電流を流すことによって、両者間に磁界が発生する。この磁界とコイル２４Ｂに流れた電流とにより回転子２４を回転させる力が発生し、回転子２４は回転する。回転子２４が回転することによって出力軸２６も回転し、この回転力がピニオンギア８、ギア１４、駆動軸１１及び鋸刃固定部材１５を介して伝達され、鋸刃４は正転方向に回転し切断作業が可能となる。
【００４４】
また、鋸刃４による切断作業後にスイッチ３ＡをＯＦＦにすると、第６リードワイヤ３７から第２ブレーキコイル、第５リードワイヤ３３、第１ブレーキコイル、ブラシ２５、整流子２４Ａ、コイル２４Ｂを有する電源と切り離された閉回路ができる。回転子２４が慣性等によって回転する際に発生する電流と、第１ブレーキコイルと第２ブレーキコイルとが発生する磁界とによって、スイッチ３ＡのＯＮ時に回転子２４を回転させる力とは逆向きの力（ブレーキ作用）が発生し、鋸刃４の回転は停止する。
【００４５】
出力軸２６が回転することによってファン７も回転する。ファン７が回転すると、空気吸入口２ａよりハウジング２内部に空気（ファン風）が流入し、そのファン風は第１空気通路２ｃおよび第２空気通路２ｄを通り、電流が流れることにより熱を発生する第１コイル２２および第２コイル２３は冷却される。そして、ファン風はファン７の半径方向および回転子２４の軸方向に流れて、ファン風排出口５ａから排出される。この時、第１、２３リードワイヤ３０、３１、３２は第１空気通路２ｃではなく第４空気通路２ｆにおいて第２接続部２１Ｄの外周に沿って配列されており、かつ第３リードワイヤ３２は第１円周方向コイル部２２Ａに沿ってその最外周縁部を第１空気通路２ｃ側に超えないように配列されているので、第１空気通路２ｃおよび第２空気通路２ｄをファン風が通り易い。従って、放熱部であり最も冷却効果が期待される固定子２１の軸方向両端部の第１円周方向コイル部２２Ａおよび第２円周方向コイル部２３Ａにファン風が当たりやすくなるので、ファン風による冷却効率が上昇し、第１コイル２２および第２コイル２３の温度上昇を抑制することができる。また、固定子２１の温度上昇も抑制することができるので、携帯用切断機１の寿命を長くすることができる。
【００４６】
次に、本発明の電動工具を携帯用切断機に適用した第２の実施の形態について図５に基づき説明する。図５は、第２の実施の形態における第１の実施の形態の図１のIｃ−Iｃ線に沿った断面図に相当する図である。本実施の形態による携帯用切断機において第１の実施の形態における携帯用切断機１と同一の部材には同一の参照番号を付して説明を省略し、異なる部分についてのみ説明する。
【００４７】
図５に示すように第２の実施の形態では、第１の実施の形態の第２リードワイヤ３１に相当する第２リードワイヤ１３１が、第１ブラシ２５（図３）から第４空気通路２ｆに延び、次に第２接続部２１Ｄの外周に沿って通路２ｂ（図２）へ延び、次に通路２ｂを通ってスイッチ３Ａに接続している。よって、第１の実施の形態と同様に第１、２、３リードワイヤ３０、１３１、３２は第４空気通路２ｆにおいて第２接続部２１Ｄの外周に沿って配列されており、かつ第３リードワイヤ３２は第１円周方向コイル部２２Ａに沿ってその最外周縁部を第１空気通路２ｃ側に超えないように配列されているので、第１空気通路２ｃおよび第２空気通路２ｄをファン風が通り易い。
【００４８】
従って、放熱部であり最も冷却効果が期待される固定子２１の軸方向両端部の第１円周方向コイル部２２Ａおよび第２円周方向コイル部２３Ａにファン風が当たりやすくなるので、ファン風による冷却効率が上昇し、第１コイル２２および第２コイル２３（図１）の温度上昇を抑制することができる。また、固定子２１の温度上昇も抑制することができるので、携帯用切断機１の寿命を長くすることができる。
【００４９】
次に、本発明の電動工具を携帯用切断機に適用した第３の実施の形態について図６に基づき説明する。図６は、第３の実施の形態における第１の実施の形態の図１のIｃ−Iｃ線に沿った断面図に相当する図である。本実施の形態による携帯用切断機において第２の実施の形態における携帯用切断機と同一の部材には同一の参照番号を付して説明を省略し、異なる部分についてのみ説明する。
【００５０】
図６に示すように第３の実施の形態では、第２の実施の形態の第３リードワイヤ３２に相当する第３リードワイヤ２３２が、第３接続端子２３５Ｃによって第２接続部２１Ｄ側の第１円周方向コイル部２２Ａに接続されて第４空気通路２ｆの方に延び、次に第４空気通路２ｆにおいて第２接続部２１Ｄの外周に沿って通路２ｂ（図２）へ延び、次に通路２ｂを通ってスイッチ３Ａに接続している。よって、第１及び２の実施の形態のように、第３リードワイヤ２３２を第１円周方向コイル部２２Ａに沿って第１接続部２１Ｃ側から第２接続部２１Ｄ側へ配列させていないので、第１円周方向コイル部２２Ａにおけるファン風が当たる領域を増加させることができる。更に、第１の実施の形態と同様に第１、２、３リードワイヤ３０、１３１、２３２は第４空気通路２ｆにおいて第２接続部２１Ｄの外周に沿って配列されているので、第１空気通路２ｃおよび第２空気通路２ｄをファン風が通り易い。
【００５１】
従って、放熱部であり最も冷却効果が期待される固定子２１の軸方向両端部の第１円周方向コイル部２２Ａおよび第２円周方向コイル部２３Ａにファン風が当たりやすくなる。更にファン風が当たる領域の増加により、ファン風による冷却効率が第１、２の実施の形態よりも上昇し、第１コイル２２および第２コイル２３の温度上昇を抑制することができる。また、固定子２１の温度上昇も抑制することができるので、携帯用切断機１の寿命を長くすることができる。
【００５２】
次に、本発明の電動工具を携帯用切断機に適用した第４の実施の形態について図７に基づき説明する。図７は、第４の実施の形態における第１の実施の形態の図１のIｃ−Iｃ線に沿った断面図に相当する図である。本実施の形態による携帯用切断機において第３の実施の形態における携帯用切断機と同一の部材には同一の参照番号を付して説明を省略し、異なる部分についてのみ説明する。
【００５３】
図７に示すように第４の実施の形態では、第３の実施の形態の第１リードワイヤ３０に相当する第１リードワイヤ３３０が、第４接続端子２３５Ｄによって第２接続部２１Ｄ側の第１円周方向コイル部２２Ａに接続されて第４空気通路２ｆの方に延び、次に第４空気通路２ｆにおいて第２接続部２１Ｄの外周に沿って通路２ｂへ延び、次に通路２ｂを通ってスイッチ３Ａに接続している。よって、第３の実施の形態と同様に第１円周方向コイル部２２Ａにおけるファン風が当たる領域を増加させることができる。更に、第１の実施の形態と同様に第１、２、３リードワイヤ３３０、１３１、２３２は第４空気通路２ｆにおいて第２接続部２１Ｄの外周に沿って配列されているので、第１空気通路２ｃおよび第２空気通路２ｄをファン風が通り易い。
【００５４】
従って、放熱部であり最も冷却効果が期待される固定子２１の軸方向両端部の第１円周方向コイル部２２Ａおよび第２円周方向コイル部２３Ａにファン風が当たりやすくなる。更にファン風が当たる領域の増加により、ファン風による冷却効率が第１、２の実施の形態よりも上昇し、第１コイル２２および第２コイル２３の温度上昇を抑制することができる。また、固定子２１の温度上昇も抑制することができるので、携帯用切断機１の寿命を長くすることができる。
【００５５】
本発明による携帯用切断機は、上述した実施の形態に限定されず、特許請求の範囲に記載した範囲で種々の変形や改良が可能である。例えば、第１〜４の実施の形態においては、第１〜３リードワイヤを第４空気通路２ｆにおいて第２接続部２１Ｄの外周に沿って配列したが、第１空気通路２ｃ内に配列するものの突出部２２Ａ１に対向しない左右方向両端の領域において回転子２４の軸方向に沿って配列させてもよい。また、第４リードワイヤ３３は第２接続部２１Ｄ側で第１ブレーキコイルと第２ブレーキコイルとを接続していたが、第１接続部２１Ｃ側で接続してもよい。更に第５リードワイヤ３６は第１接続部２１Ｃ側で第１メインコイルと第２メインコイルとを接続していたが、第２接続部２１Ｄ側で接続してもよい。
【図面の簡単な説明】
【００５６】
【図１】本発明による電動工具を携帯用切断機に適用した実施の形態の部分縦断面図。
【図２】ハウジングとハンドルとモータの一部とを示した斜視図。
【図３】図１に示した携帯用切断機を上面から見たときの一部を切欠いた図。
【図４（ａ）】図１のIａ−Iａ線に沿った断面図。
【図４（ｂ）】図１のIｂ−Iｂ線に沿った断面図。
【図４（ｃ）】図１のIｃ−Iｃ線に沿った断面図。
【図５】第２の実施の形態における図１のIｃ−Iｃ線に沿った断面図。
【図６】第３の実施の形態における図１のIｃ−Iｃ線に沿った断面図。
【図７】第４の実施の形態における図１のIｃ−Iｃ線に沿った断面図。
【図８】従来の電動工具の断面図。
【符号の説明】
【００５７】
１  携帯用切断機、  ２  ハウジング、  ２Ｅ  リブ、  ２ａ  空気吸入口、  ３Ａ  スイッチ、  ３  ハンドル、  ４  鋸刃、  ５ａ  ファン風排出口、    ７  ファン、  ２０  モータ、  ２１Ａ  第１コイル巻回部、  ２１Ｂ  第２コイル巻回部、  ２１ａ  中空部、  ２１  固定子、  ２２  第１コイル、  ２２Ａ  第１円周方向コイル部、  ２２Ａ１  突出部、  ２２Ｂ  第１軸方向コイル部、  ２３  第２コイル、  ２３Ａ  第２円周方向コイル部、  ２３Ａ１  突出部、  ２３Ｂ  第２軸方向コイル部、  ２４  回転子、  ２５  ブラシ、  ３０  ３３０  第１リードワイヤ、  ３１  １３１  第２リードワイヤ、  ３２  ２３２  第３リードワイヤ、  ３３  第４リードワイヤ、  ３６  第５リードワイヤ
【図１】
2005205561.tif 000003
【図２】
2005205561.tif 000004
【図３】
2005205561.tif 000005
【図４（ａ）】
2005205561.tif 000006
【図４（ｂ）】
2005205561.tif 000007
【図４（ｃ）】
2005205561.tif 000008
【図５】
2005205561.tif 000009
【図６】
2005205561.tif 000010
【図７】
2005205561.tif 000011
【図８】
2005205561.tif 000012